Podtech/llm-jp-corpus-v4-ja_patent huggingface dataset:
(57)【要約】【課題】  気液分離部の二次側で発生した復水も確実に外部へ排出することのできる気液分離器を提供する。【解決手段】  蒸気供給管１と気液分離部４の入口７を接続し、出口８を蒸気供給管２と接続する。気液分離部４の下部に復水排出部５を一体に取り付ける。蒸気供給管２にセンサ取り付けパイプ１０を介在する。パイプ１０に圧力センサ１１と温度センサ１２を取り付ける。パイプ１０の下部と復水排出部５を連通管６で連通する。蒸気供給管２と３の間に立ち上げ部１５を設ける。  蒸気供給管２と立ち上げ部１５で発生した復水は、連通管６を通って復水排出部５内に至り、所定量が溜まると自動的に外部へ排出される。【選択図】  図１
2006167577.tif 000002
【特許請求の範囲】
【請求項１】
蒸気供給管に取り付けた気液分離部と復水排出部と、当該気液分離部の二次側に配置した蒸気供給管の立ち上がり部とからなるものにおいて、立ち上がり部又は気液分離部と立ち上がり部の間の蒸気供給管に、復水排出部と連通する連通管を接続したことを特徴とする気液分離器。
【発明の詳細な説明】
【技術分野】
【０００１】
本発明は、気体としての蒸気と、液体としての復水を分離する気液分離器に関する。
【背景技術】
【０００２】
気液分離器は、気体と液体の質量差に基づき、遠心力、慣性力又は重力等で気液を分離したり、あるいは、気体と液体の粒径差に基づきフィルター等で気液を分離するものである。
【０００３】
この気液分離器においては、蒸気供給管に取り付けた気液分離器で、蒸気供給管内を流下してきた復水を分離して、気液分離器と連結した復水排出器から分離した復水を外部へ排出することができるものであるが、気液分離器の出口側すなわち二次側に位置する蒸気供給管の立ち上がり部と気液分離器の間に復水が滞留してしまう問題があった。これは、蒸気供給管の立ち上がり部で発生した復水が重力によってその下部に溜まるためである。蒸気供給管に溜まった復水は、ウォーターハンマー等を引き起こす原因となるために、できるかぎり速やかに外部に排出しなければならない。
【特許文献１】特開平２−２１３６０１号公報
【発明の開示】
【発明が解決しようとする課題】
【０００４】
解決しようとする課題は、気液分離部の二次側の立ち上がり部で発生した復水も確実に復水排出部から外部へ排出することのできる気液分離器を提供することである。
【課題を解決するための手段】
【０００５】
本発明は、蒸気供給管に取り付けた気液分離部と復水排出部と、当該気液分離部の二次側に配置した蒸気供給管の立ち上がり部とからなるものにおいて、立ち上がり部又は気液分離部と立ち上がり部の間の蒸気供給管に、復水排出部と連通する連通管を接続したことを特徴とする。
【発明の効果】
【０００６】
本発明の気液分離器は、立ち上がり部又は気液分離部と立ち上がり部の間の蒸気供給管に、復水排出部と連通する連通管を接続したことにより、立ち上がり部で発生した復水は、この連通管から復水排出部へと流下して外部へ排出することができる。
【発明を実施するための最良の形態】
【０００７】
本発明は、蒸気供給管に気液分離部と復水排出部を取り付けるものであり、この気液分離部と復水排出部は、一体に又は別体に配置することができる。
【実施例１】
【０００８】
図１において、蒸気供給管１，２，３と、気液分離部４と復水排出部５、及び、連通管６とで気液分離器を構成する。
【０００９】
気液分離部４は、遠心力によって蒸気と復水を気液分離するもので、入口７を蒸気供給管１と接続し、出口８を蒸気供給管２と接続する。蒸気供給管１から気液分離部４へ供給された蒸気は、出口８と蒸気供給管２，３から図示しない蒸気使用箇所へと供給される。蒸気供給管２と３の間に立ち上がり部１５を設ける。
【００１０】
気液分離部４の下部に復水排出部５を一体に形成する。復水排出部５の下端には連通管６と復水排出管９をそれぞれ接続する。復水排出部５は、内部にステンレス製の球形フロートを自由状態で配置したもので、気液分離部４で蒸気から分離された復水が所定量内部に溜まると球形フロートが浮力によって浮上して弁口を開口することによって、復水だけを外部へ排出することができるものである。
【００１１】
気液分離部４の出口８と蒸気供給管２の間に、略Ｔ字状のセンサ取り付けパイプ１０を配置して、蒸気供給管２内を流下する蒸気の圧力と温度を検出する圧力センサ１１及び温度センサ１２をそれぞれ取り付ける。
【００１２】
センサ取り付けパイプ１０の温度センサ１２取り付け箇所の下部１３に、連通管６の一端を接続して、復水排出部５の内部と連通する。
【００１３】
蒸気供給管１から気液分離部４へ供給された蒸気に混入していた復水は、気液分離部４で蒸気から分離され復水排出部５内へ流下する。復水の分離された蒸気は、出口８から蒸気供給管２，１５，３へと流下する。蒸気供給管２，１５内で放熱により発生した復水は、立ち上がり部１５の下部すなわち蒸気供給管２内、更にはセンサ取り付けパイプ１０内に溜まり、連通管６を通って復水排出部５内に流下して、所定量の復水が内部に溜まると自動的に復水排出管９から外部へ排出される。
【００１４】
温度センサ１２の取り付け下部１３に連通管６を接続して、センサ取り付けパイプ１０内に復水が滞留しないようにしたことによって、温度センサ１２のセンシング箇所にも復水が滞留しなくなって、蒸気供給管２を流下する蒸気の温度を正確に検出することができる。すなわち、温度センサ１２のセンシング箇所に復水が存在すると、実際の蒸気温度よりも低い温度を検出してしまうのであるが、復水を排出することによって、正確に蒸気温度を検出することができる。
【図面の簡単な説明】
【００１５】
【図１】本発明の気液分離器の実施例を示す構成図。
【符号の説明】
【００１６】
１，２，３  蒸気供給管
４  気液分離部
５  復水排出部
６  連通管
９  復水排出管
１０  センサ取り付けパイプ
１１  圧力センサ
１２  温度センサ
１５  立ち上げ部
【図１】
2006167577.tif 000003
(57)【要約】【課題】コーヒー等の飲料や液体に用いるカップの形状は、取っ手が滑りやすく、特にカップにコーヒー等が満たされているときは、重く、取っ手も濡れていることがあり、持ちにくかった。【解決手段】取っ手２をのの字形に設ける。のの字形の取っ手により指が安定する。【選択図】図１
2006167147.tif 000002
【特許請求の範囲】
【請求項１】
取っ手を、のの字形に設けたことを特徴とするカップ。
【発明の詳細な説明】
【技術分野】
【０００１】
この発明は、コーヒー等の飲料や液体に用いるカップの形状に関する。
【背景技術】
【０００２】
従来のコーヒー等の飲料や液体に用いるカップの形状は、図２に示すように、カップの本体１の側面にとって２が設けられたものである。
【発明の開示】
【発明が解決しようとする課題】
【０００３】
しかしながら、以上の技術によれば、取っ手が持ちにくく安定しないことがある。そこで、この発明は取っ手が持ちやすく安定するカップを提供することを課題とする。
【課題を解決するための手段】
【０００４】
以上の課題を解決するために、第一発明は、取っ手をのの字形に設けたこと特徴とするカップである。
また、第二発明は、取っ手をのの字形に設け、指が固定されることを特徴とするカップである。
【発明の効果】
【０００５】
第一発明、または第二発明によれば、カップの取っ手をのの字形に設けたので、取っ手が滑りにくく安定しやすい。
【発明を実施するための最良の形態】
【０００６】
この発明の一実施形態を、図１に示す。
カップの本体１は陶製等であり、この本体１の側面には、陶製等の取っ手２が一体的に設けられている。この取っ手２にはのの字形に設けられている。
【０００７】
この実施によれば、のの字形とっての働きで、取っ手２を持ったときに滑りにくく、指が固定し安定しやすい。したがって、カップを持ちやすい。
【０００８】
亦、他の実施として、図１の実施例では、のの字形取っ手は片側のみに使用しているものであったが、他の実施形態では、のの字形取っ手を両側に設けたものでも良い。
【図面の簡単な説明】
【０００９】
【図１】この発明の一実施形態を示す斜視図である。
【図２】従来技術を示す斜視図である。
【符号の説明】
【００１０】
１  カップ本体            ２  のの字形取っ手
【図１】
2006167147.tif 000003
【図２】
2006167147.tif 000004